(57)【要約】  【課題】  コンパクト、かつ簡易な構造でテレビの角度を変更可能にする。  【解決手段】  テレビＡの裏面に固定されるテレビ回転部２と、当該テレビ回転部２を回転可能に支持する支持台３を備える。  【選択図】  図１
2006067212.tif 000002
【特許請求の範囲】
【請求項１】
テレビの裏面に固定されるテレビ回転部と、当該テレビ回転部を回転可能に支持する支持台を備え、
前記テレビ回転部は、テレビを左右傾斜させる方向に回転するものであり、支持台とテレビまたは支持台とテレビ回転部とに亘って設けられた回転阻止部によって、回転可能状態と回転不能状態に切り替えられるようにされているテレビ支持具。
【請求項２】
前記支持台の下端部に、当該支持台を水平方向に回転させる支持台回転部を備えている請求項１に記載のテレビ支持具。
【発明の詳細な説明】
【技術分野】
【０００１】
本発明は、テレビを支持する支持具に関する。
【背景技術】
【０００２】
本発明のテレビ支持具に関連する先行技術文献としては下記のものがある。（特許文献１参照）
この特許文献に記載されているものは、テレビ受像機の収納ラックとして、テレビを内周側で支持する円弧状のガイド部材を有する架台と、このガイド部材の内周に沿って回転するシャーシとを備えたものであり、このシャーシをテレビに固定して前記ガイド部材に沿って回転させることによって、テレビの角度を任意に変更するものである。
前記シャーシは、テレビの両側面に夫々固定され、このシャーシの上下端部には前記ガイド部に係合して転がるローラとテレビの角度を保持するストッパーが設けられている。
【特許文献１】特開平８−２８９２２９号
【発明の開示】
【発明が解決しようとする課題】
【０００３】
ところで、前記特許文献に記載の収納ラックは、ガイド部材がテレビおよびシャーシの外側にあるため、テレビを置く場所が通常よりも広い場所が必要となり、その上、テレビの角度を変えるために、前記ガイド部材およびローラを備えたシャーシ、さらには、テレビの重量を支えるストッパー等、多くの部材を有する複雑な構造である。
【０００４】
そこで、本発明は、コンパクト、かつ簡易な構造でテレビの角度を変更可能とすることを課題とし、この課題を解決したテレビ支持具の提供を目的とする。
【課題を解決するための手段】
【０００５】
前記目的を達成するために本発明が採用した技術的手段は、テレビの裏面に固定されるテレビ回転部と、当該テレビ回転部を回転可能に支持する支持台を備え、前記テレビ回転部は、テレビを左右傾斜させる方向に回転するものであり、支持台とテレビまたは支持台とテレビ回転部とに亘って設けられた回転阻止部によって、回転可能状態と回転不能状態に切り替えられるようにされているテレビ支持具にしたことである。（請求項１）
【０００６】
前記テレビ回転部は、テレビを回転させる構成を備えるものすべてを包含し、例示すると、テレビ側と支持台側との凹凸係合による構成、ローラベアリングやボールベアリングとする構成等が挙げられる
前記回転阻止部は、テレビの回転を阻止する構成のすべてを包含し、例示すると、支持台からボルトを貫通ねじ込みするとともに、このボルトの先端をテレビの裏面に押し付けることによって回転を阻止する構成が挙げられる。
【０００７】
さらに、前記支持台の下端部に、当該支持台を水平方向に回転させる支持台回転部を備えてもよい。（請求項２）
【発明の効果】
【０００８】
本発明のテレビ支持具によれば、コンパクト、かつ簡易な構造でテレビの角度を変更可能としたテレビ支持具を提供できる。
また、請求項２の発明によれば、テレビを水平方向にもその角度を変更することができる。
【発明を実施するための最良の形態】
【０００９】
次に、本発明を実施するための最良の形態を図１ないし図４に基づいて説明する。
本形態のテレビ支持具１は、テレビＡの裏面に固定されるテレビ回転部２と、当該テレビ回転部２を回転可能に支持する支持台３と、前記テレビ回転部２を回転可能状態と回転不能状態に切り替える回転阻止部４と、前記支持台３を水平方向に回転させる支持台回転部５と、当該支持台回転部４を固定した支持板６とから構成されている。
符号７は、持ち運び用の取っ手である。
【００１０】
本形態のテレビ回転部２は、ローラベアリングやボールベアリングのような周知のベアリングであり、このようなテレビ回転部２の一方端をテレビＡの裏面に固定し、他端を支持台３の上方に固定することによって、テレビＡが支持台３に対して左右傾斜する方向に回転可能に支持される。
また、テレビ回転部２は、ビス等によってテレビＡから取り外せるようにしてあり、他のテレビにも適用できるようにされている。（図示せず）
【００１１】
支持台３は、正面上方の垂直面部３１にテレビ回転部２および回転阻止部４が設けられ、下端の水平面部３２に支持台回転部４と支持板６が設けられている。
【００１２】
回転阻止部４は、支持台３の垂直面部３１の裏面からテレビＡの裏面に向かって貫通された２個の蝶ボルト４１と、当該蝶ボルト４１が貫通する２箇所の長孔４２とからなる。
蝶ボルト４１の先端には、テレビＡの裏面に接触させる接触板４３が取り付けられていて、蝶ボルト４１を締め付けることによって前記接触板４３がテレビＡの裏面に押し付けられ、蝶ボルト４１を緩めることによって前記接触板４３がテレビＡの裏面から離間する。
すなわち、前記接触板４３のテレビＡの裏面に対する接触力によって、前記テレビ回転部２の回転を阻止してテレビＡを固定状態にし、前記接触板４３のテレビＡの裏面に対する接触力を弱めたり無くしたりすることによって、前記テレビ回転部２の回転を可能にしてテレビＡの角度を変更することができる。
【００１３】
支持台回転部５は、前記テレビ回転部２と同様のベアリングであり、このような支持台回転部５の一方端を支持台３の水平面部３２の裏面に固定し、他端を支持板６の表面に固定することによって、支持台３が支持板に対して水平方向に回転可能に支持される。
すなわち、前記支持板６に対して支持台３を水平方向に回転させることによって、テレビＡの水平方向の角度を変更することができる。
【００１４】
本形態のテレビ支持具１によれば、コンパクト、かつ簡易な構造で、テレビＡの左右方向および水平方向の角度を任意に変更することができ、その上、持ち運びも容易に行え、しかも、テレビＡの置き場スペースを広げる必要がない。
【００１５】
なお、本発明は、例示した構成に限定されるものではなく、特許請求の範囲の各項に記載された内容から逸脱しない範囲で実施することは任意である。
たとえば、前記の形態では、テレビの左右方向の回転を３６０度フリー回転するもので例示しているが、他の例として、回転角度を３６０度未満に規制する構成を加えてもよい。
また、前記支持台の水平方向の回転を３６０度フリー回転するもので例示しているが、他の例として、前記回転阻止部のような構成を加えてもよいし、回転角度を３６０度未満に規制する構成を加えてもよい。
さらに、前記支持台を前後方向に回転可能にして、テレビの角度を前後方向に変更するような構成を加えてもよく、この場合、前後方向の回転阻止する構成を加える。
【図面の簡単な説明】
【００１６】
【図１】本発明に係るテレビ支持具の正面図。
【図２】同、側面図。
【図３】図１の（３）−（３）線拡大断面図。
【図４】図１の（４）−（４）線断面図。
【符号の説明】
【００１７】
１：テレビ支持具
２：テレビ回転部
３：支持台
４：回転阻止部
５：支持台回転部
６：支持板
７：取っ手
４１：蝶ボルト
４２：長孔
４３：接触板
Ａ：テレビ
【図１】
2006067212.tif 000003
【図２】
2006067212.tif 000004
【図３】
2006067212.tif 000005
【図４】
2006067212.tif 000006